(57)【要約】【課題】透析などの操作中にチューブにねじれが生じても、誰にでも容易に速やかにねじれを解消することができるメスコネクタを提供すること。【解決手段】コア部材（１）の全長（Ｌ１）は、ハウジング（２）の全長（Ｌ２）よりも長く形成され、前記コア部材（１）は、先端に係止部（３）を形成し、後方に把持部（２１）を形成し、ハウジング（２）内に挿入したとき、係止部（３）が前記ハウジング（２）の先端部よりも前方に露出し、把持部（２１）が前記ハウジング（２）の後端部よりも後方に露出するように配置され、前記把持部（２１）の外周面に、滑り防止の手段を形成したメスコネクタ（１Ａ）。【選択図】図１
0003120987.tif 000002
【実用新案登録請求の範囲】
【請求項１】
コア部材（１）とコア部材（１）の外周に装着されたハウジング（２）から構成され、
前記ハウジング（２）の内面に、前記コア部材（１）を、接着固定することなく挿入し、当該コア部材（１）とハウジング（２）は相互に同芯円上で自在に回転できるように形成されたメスコネクタ（１Ａ）であって、
前記コア部材（１）の全長（Ｌ１）は、前記ハウジング（２）の全長（Ｌ２）よりも長く形成され、
前記コア部材（１）は、先端に係止部（３）を形成し、後方に把持部（２１）を形成し、ハウジング（２）内に挿入したとき、係止部（３）が前記ハウジング（２）の先端部よりも前方に露出し、把持部（２１）が前記ハウジング（２）の後端部よりも後方に露出するように配置され、
前記把持部（２１）の外周面に、滑り防止の手段を形成したことを特徴とするメスコネクタ（１Ａ）。
【請求項２】
前記把持部（２１）の滑り防止の手段が、（Ａ）把持部（２１）の全周及び長さ方向に形成された複数の溝（２７）ないし突起（２８）、または（Ｂ）多角形の断面、または（Ｃ）粗面、または（Ｄ）翼（２９）、であることを特徴とする請求項１に記載のメスコネクタ（１Ａ）。
【請求項３】
前記コア部材（１）の把持部（２１）前方に、係止部（２５）を形成したことを特徴とする請求項１ないし請求項２に記載のメスコネクタ（１Ａ）。
【考案の詳細な説明】
【技術分野】
【０００１】
本考案は、血液回路の各種分岐チューブ、また輸液、輸血用チューブ、各種カテーテルチューブ、その他医療用流体チューブに設けられているメスコネクタの改良に関し、特にメスコネクタに接続されるチューブのねじれの修正などに対する、操作性の向上に関するものである。
【背景技術】
【０００２】
前述の流体誘導チューブ（以下、単に「チューブ」と記載）端部に設けられたメスコネクタは、他のチューブや機器類等のオスコネクタと接続可能に形成されている。具体的には、メスコネクタ内面には規格によって定められたルアーテーパが形成され、また外面には同じく規定によるネジが形成される。
前記オスコネクタは、一般的に二重同芯円筒形状で、その内円筒の外面には規定のルアーテーパが形成され、外円筒の内面には規定のネジが形成されており、このオスコネクタとメスコネクタのネジとルアーテーパの嵌合により、液密性及び気密性が確保できる。
【０００３】
通常、メスコネクタとオスコネクタを嵌合する場合には、メスコネクタを回転させながらオスコネクタに挿入するが、その回転によって、メスコネクタに接着等で接続されているチューブがねじれて操作性が悪く、また、そのねじれによりチューブが潰れたり、ねじれたチューブの復元力でオスコネクタとの嵌合が緩んだりもしくは外れたりという問題があった。
【０００４】
以上のような、チューブねじれの問題を解決するためのメスコネクタとして、本願出願人は、特許文献１の発明を開示した。
特許文献１のメスコネクタは、軟質または半軟質部材から形成したコア部材と、コア部材の外周に装着される、硬質部材で形成したハウジングとの２つのパーツから構成されている。コア部材とハウジングは相互に同芯円上で自在に回転できることで、嵌合時のねじれ及びねじれに起因するチューブ復元力によるオスコネクタとメスコネクタの緩みや外れる危険性の減少が可能となった。
しかし、特許文献１の発明により、オスコネクタに接続する際のねじれは解消できるが、患者や作業者の動作等により起こりうる操作中のチューブのねじれ等については、対処できない。
【０００５】
また特許文献２には、コア部材のフランジから離れた所定位置に、固定したストッパーを設けたメスコネクタが開示されている。この発明では、ストッパーがチューブはずれ防止の役目をすることで、特許文献１の発明よりもさらに緩みやはずれの防止が強化されているが、特許文献１の発明と同様に、患者や作業者の動作等により起こりうる操作中のチューブのねじれ等については、対処できない。
【特許文献１】特開平１１−３１３８９６号公報（［請求項１］、［０００８］）
【特許文献２】特開２００５−１９２７８２号公報（［請求項１］）
【考案の開示】
【考案が解決しようとする課題】
【０００６】
本考案が解決しようとする課題は、特許文献１及び特許文献２の発明では、患者や作業者の動作等により常に起こりうる操作中のチューブのねじれ等については、対処できない点である。
【課題を解決するための手段】
【０００７】
そこで、本考案者は鋭意検討を重ねた結果、従来には存在しなかった、オスコネクタとの接続時だけでなく、使用中などにもねじれてしまったチューブを、技術や特別な操作を必要とせず、簡単に修正することのできるメスコネクタの考案に到達した。
［１］本考案は、コア部材（１）とコア部材（１）の外周に装着されたハウジング（２）から構成され、
前記ハウジング（２）の内面に、前記コア部材（１）を、接着固定することなく挿入し、当該コア部材（１）とハウジング（２）は相互に同芯円上で自在に回転できるように形成されたメスコネクタ（１Ａ）であって、
前記コア部材（１）の全長（Ｌ１）は、前記ハウジング（２）の全長（Ｌ２）よりも長く形成され、
前記コア部材（１）は、先端に係止部（３）を形成し、後方に把持部（２１）を形成し、ハウジング（２）内に挿入したとき、係止部（３）が前記ハウジング（２）の先端部よりも前方に露出し、把持部（２１）が前記ハウジング（２）の後端部よりも後方に露出するように配置され、
前記把持部（２１）の外周面に、滑り防止の手段を形成したメスコネクタ（１Ａ）を提供する。
［２］本考案は、前記把持部（２１）の滑り防止の手段が、（Ａ）把持部（２１）の全周及び長さ方向に形成された複数の溝（２７）ないし突起（２８）、または（Ｂ）多角形の断面、または（Ｃ）粗面、または（Ｄ）翼（２９）、である［１］に記載のメスコネクタ（１Ａ）を提供する。
［３］本考案は、前記コア部材（１）の把持部（２１）前方に、係止部（２５）を形成した［１］ないし［２］に記載のメスコネクタ（１Ａ）を提供する。
【考案の効果】
【０００８】
本考案のメスコネクタによれば、（１）透析などの操作中にチューブにねじれが生じても、ねじれに気がついたときに、誰にでも容易に速やかにねじれを解消することができる（２）従来のコア部材の形状に創作を加えるのみで、部品自体は増加しないので、特にコスト高になることもない。
【考案を実施するための最良の形態】
【０００９】
図１（Ａ）は、本考案のメスコネクタ１Ａの概略図、（Ｂ）は（Ａ）のＡ−Ａ´断面図、図２は図１の縦断面図、図３は本考案のメスコネクタ１Ａのその他の実施例を示す概略図、図４（Ａ）、（Ｂ）は本考案のコア部材５の把持部２１のその他の実施例を示す断面図である。また図５は、本考案のメスコネクタ１Ａの使用状態図で、（Ａ）はチューブＴがねじれた状態、（Ｂ）は（Ａ）のチューブＴのねじれを解消した状態の図である。さらに、図６は本考案のメスコネクタ１Ａのその他の実施例を示す概略図で、図７は図６の使用状態図である。
［メスコネクタ１Ａ］
メスコネクタ１Ａは図１及び図２に示すように、コア部材１と、コア部材１の外周に装着されたハウジング２から構成されている。
前記ハウジング２の内面に、前記コア部材１を、接着固定することなく挿入し、当該コア部材１とハウジング２は相互に同芯円上で自在に回転できるように形成されている。
［ハウジング２］
ハウジング２は、略円筒状に形成され、前方外周には、オスコネクタを嵌合するためのネジ山８が形成され、略中央から後方に亘って、翼状の凸部６が形成されている。
【００１０】
［コア部材１］
コア部材１は、先端に係止部３を形成し、後方に把持部２１を形成している。
把持部２１の後端には、チューブＴが装着されている。
コア部材１の全長Ｌ１は、前記ハウジング２の全長Ｌ２よりも長く形成されている。
コア部材１は、ハウジング２内に挿入したとき、係止部３がハウジング２の先端部よりも前方に露出し、把持部２１がハウジング２の後端部よりも後方（チューブ接続側）に露出するように配置される。
係止部３は、図２に例示するように、鍔状（凸状ともいう）に形成することで、コア部材１からハウジング２が前方に不用意に抜けたりはずれたりしないように、ストッパーの役目を果たすとともに、使用時にねじれを生じたチューブＴのねじれを直す際のつまみの役目も担う。
【００１１】
［把持部２１］
把持部２１には、把持部２１を指でつまんだときに、指もしくは把持部２１が滑ったりすることなく、容易につまんで操作ができるように、外周面に、滑り防止の手段を形成している。
「滑り防止の手段」は、例えば（Ａ）把持部２１の全周及び長さ方向に形成された複数の溝２７（図１参照）ないし突起２８（図３参照）、または（Ｂ）多角形の断面（多面形状ともいう、図４参照））、または（Ｃ）粗面（梨地加工ともいう）等が挙げられる。溝２７ないし突起２８は、把持部２１の全周及び長さ方向に連続して形成しても良いし、部分的に形成しても良い。
多角形の断面（多面形状ともいう）としては、指でのつまみやすさ及び、メスコネクタ１Ａを組み立てる際のコア部材１とハウジング２の挿入のしやすさから考えると、六面から八面に形成するのがより好ましい。
さらに、把持部２１その他の形状として、図６のように、把持部２１の外周に翼２９を形成することもできる。この翼２９の場合は、把持部２１に一体に形成してもよいし、翼２９を別部品で形成して、把持部２１に装着する（取りつける）ようにしてもよい。
要するに、チューブのねじれを直す際、指でつまんだときに、指が引っかかることで滑り防止になれば、その形状等は特に限定しない。
【００１２】
また図１から図３の形状では、把持部２１前方とハウジング２後端の間に、係止部２５を形成している。これにより、コア部材１からハウジング２がずれたり抜けたりするのを防ぐことがきる。
係止部２５は、凸状であれば、複数の粒状のものでもよいし、線状に形成して全周を囲んでもよく、ストッパーの役目としてハウジング２が引っかかって抜けない程度のものでよい。係止部２５はあまり大きすぎるとコア部材１にハウジング２を挿入する際に挿入しにくくなり、逆に小さすぎるとハウジング２が引っかからずにコア部材１から後方に抜けるおそれがあり、ストッパーとしての役目を果たさなくなる。
なお、図４の把持部２１が多面形状のものは、直径を大きくしたものは多角形の角が係止部の役目を果たすので、係止部２５を特に設ける必要がなく、また図６、図７の形状では翼２９により抜けを防止することができるので、係止部２５を設ける必要はない。
［構成材料］
コア部材１とコア部材に接続されるチューブＴは、例えばポリ塩化ビニル、ポリウレタンなどの軟質ないし半硬質製の材料で形成される。またハウジング２は、例えばポリプロピレン、ポリカーボネートなどの硬質製の材料で形成される。
【００１３】
［操作例］
図５（Ａ）のように、メスコネクタ１Ａのコア部材１に接続されるチューブＴに、オスコネクタとの接続や操作などによりねじれが生じた場合、コア部材１の係止部３と把持部２１をそれぞれ左右の手の指でつまむ。
次に、把持部２１を、チューブＴに発生したねじれとは反対方向にねじり、図５（Ｂ）のようにチューブＴをまっすぐに戻してねじれを解消する。指でつまんで直接ねじれを直せるので、ねじれの戻し加減も自在に調整でき、しかも確実に解消することができる。
なお、メスコネクタ１Ａの把持部２１が図６、図７のような形状の場合は、チューブＴがねじれた際、図７のようにチューブＴのねじれとは反対の方向に、翼２９をつまんでひねり、チューブＴのねじれをまっすぐに直す。この翼２９を形成した形状であれば、指のかかる面積が広いので、つまみやすく、操作性がよりよい。
【図面の簡単な説明】
【００１４】
【図１】（Ａ）本考案のメスコネクタ１Ａの概略図、（Ｂ）（Ａ）のＡ−Ａ´断面図
【図２】図１の縦断面図
【図３】本考案のメスコネクタ１Ａのその他の実施例を示す概略図
【図４】（Ａ）（Ｂ）本考案のコア部材５の把持部２１のその他の実施例を示す断面図
【図５】本考案のメスコネクタ１Ａの使用状態図（（Ａ）チューブＴがねじれた状態、（Ｂ）（Ａ）のチューブＴのねじれを解消した状態）
【図６】本考案のメスコネクタ１Ａのその他の実施例を示す概略図
【図７】図６の使用状態図
【符号の説明】
【００１５】
１Ａ  メスコネクタ
１  コア部材
２  ハウジング
３  係止部
６  凸部
７  ねじ山
２１  把持部
２５  係止部
２７  溝
２８  突起
２９  翼
Ｌ１  コア部材１の全長
Ｌ２  ハウジング２の全長
Ｔ  チューブ
ＤＬ  ダイアライザ
【図１】
0003120987.tif 000003
【図２】
0003120987.tif 000004
【図３】
0003120987.tif 000005
【図４】
0003120987.tif 000006
【図５】
0003120987.tif 000007
【図６】
0003120987.tif 000008
【図７】
0003120987.tif 000009